【手続補正書】
【提出日】平成30年10月5日(2018.10.5)
【手続補正１】
【補正対象書類名】明細書
【補正対象項目名】００９０
【補正方法】変更
【補正の内容】
【００９０】
上記の実施例は、理解を明確にするためだけに示されたものであり、不必要な限定がそこから解釈されるべきではない。実施例に記載されている試験及び試験結果は、予測的なものではなく、あくまで例示的なものに過ぎないことが意図され、試験手順の変更により、異なる結果をもたらすことが予想され得る。実施例中の定量的値はすべて、使用された手順に含まれる一般に公知の許容誤差の観点から近似値であることが理解される。本明細書において開示される特定の例示的な要素、構造、特長、詳細、構成などは、修正され得る、及び／又は多数の実施形態と組み合わされ得ることが、当業者には明らかであろう。こうした変更及び組合せはすべて、本発明者によって、例示的な説明としての役割を果たすべく選択された代表的な設計としてのみならず、想到される発明の境界内に存在すると企図される。したがって、本発明の範囲は、本明細書に記載されている特定の例示的構造に限定されるべきではないが、むしろ少なくとも、特許請求の範囲の言語によって説明される構造、及びそれらの構造の等価物にまで拡大する。本明細書において代替物として肯定的に列挙されている要素はいずれも、望ましい任意の組合せにおいて、特許請求の範囲に明確に含まれることがあり、又は特許請求の範囲から除外されることがある。オープンエンド言語で本明細書に列挙されているいずれの要素又は要素の組合せ（例えば、を含む（comprise）、及びその派生語）も、クローズエンド言語（例えば、からなる（consist）、及びその派生後）及び一部クローズエンド言語（例えば、から本質的になる（consist essentially）、及びその派生語）で更に列挙されていると見なされる。様々な理論及び可能な機構が本明細書において議論され得るが、こうした議論は、いかなる場合も、特許請求可能な主題を制限するべきものではない。記載されている通りの本明細書と、参照により本明細書に組み込まれている任意の文書の開示内容との間にいかなる不一致又は矛盾が存在する限り、記載されている通りの本明細書が優先する。本発明の実施態様の一部を以下の［項目１］−［項目２０］に記載する。
［項目１］
側方融合した一体有機ポリマー発泡体スラブ。
［項目２］
前記一体発泡体スラブは、ポリエステル発泡体又はポリプロピレン発泡体を含む少なくとも１つの主要発泡体層を含む、項目１に記載の一体発泡体スラブ。
［項目３］
前記一体発泡体スラブは、ポリエステル発泡体の単一の層又はポリオレフィン発泡体の単一の層から本質的になる、項目１に記載の一体発泡体スラブ。
［項目４］
少なくとも８個の境界面は、前記発泡体スラブの横軸に沿って前記発泡体スラブの幅を横断して遭遇し、前記境界面は、前記発泡体スラブの厚さ軸と少なくとも概ね整列している、項目１に記載の一体発泡体スラブ。
［項目５］
少なくとも１２個の境界面は、前記発泡体スラブの横軸に沿って前記発泡体スラブの幅を横断して遭遇し、前記境界面は、前記発泡体スラブの厚さ軸と少なくとも実質的に整列している、項目１に記載の一体発泡体スラブ。
［項目６］
少なくとも２０個の境界面は、前記発泡体スラブの横軸に沿って前記発泡体スラブの幅を横断して遭遇し、前記境界面は、前記発泡体スラブの厚さ軸と少なくとも本質的に整列している、項目１に記載の一体発泡体スラブ。
［項目７］
前記発泡体スラブは、前記スラブの約５０体積％から前記スラブの約９９．５体積％を占める主要有機ポリマー発泡体相を含み、かつ、約０．８５未満の相対密度である、一体複合発泡体スラブであり、
前記一体複合発泡体スラブは、前記一体複合発泡体スラブの約０．５体積％から約５０体積％を占め、かつ、主要有機ポリマー発泡体相の相対密度よりも少なくとも約５０％高い相対密度である、副有機ポリマー高密度化相を含み、
前記主要相及び前記副相はそれぞれ、前記一体複合発泡体スラブの長軸に沿って連続的に延びる、項目１に記載の一体発泡体スラブ。
［項目８］
前記一体複合発泡体スラブの前記副高密度化相は、前記一体複合発泡体スラブの前記主要発泡体相に溶融接合されている、項目７に記載の一体複合発泡体スラブ。
［項目９］
前記一体複合発泡体スラブの前記副高密度化相及び前記一体複合発泡体スラブの前記主要発泡体相は、共にポリエステルからなる、又は共にポリオレフィンからなる、項目８に記載の一体複合発泡体スラブ。
［項目１０］
前記複合発泡体スラブの前記副高密度化相は、前記発泡体スラブの横軸に沿って前記発泡体スラブの幅の少なくとも７０％にわたって離間している複数の細長部材の形態であり、それぞれの細長部材は、前記複合発泡体スラブの長軸に沿って連続的に延び、それぞれの細長部材の相対密度は、前記複合発泡体スラブの主要発泡体相の相対密度の少なくとも約４倍である、項目７に記載の一体複合発泡体スラブ。
［項目１１］
それぞれの細長部材は、前記一体複合発泡体スラブの厚さ軸と少なくとも実質的に整列するレール高さ、及び前記一体複合発泡体スラブの横軸と少なくとも概ね整列するレール幅とを含む細長レールの形態であり、前記レール高さは、前記レール幅の少なくとも４倍であり、前記レール高さは、前記一体複合発泡体スラブの厚さの少なくとも約８０％である、項目１０に記載の一体複合発泡体スラブ。
［項目１２］
それぞれの細長部材は、前記一体複合発泡体スラブの前記主要発泡体相に溶融接合された非発泡体材料から本質的になる、項目１０に記載の一体複合発泡体スラブ。
［項目１３］
前記一体複合発泡体スラブの前記副高密度化相は、前記一体複合発泡体スラブの主要外側表面を提供し、厚さは前記一体複合発泡体スラブの総厚さの約１０％未満であり、前記一体複合発泡体スラブの前記主要発泡体相の相対密度の少なくとも約４倍の相対密度を示す、シート状層である副表面層の形態である、項目７に記載の一体複合発泡体スラブ。
［項目１４］
前記一体複合発泡体スラブの前記副外側表面層は、前記一体複合発泡体スラブの前記主要発泡体相に溶融接合された非発泡体材料から本質的になる、項目１３に記載の一体複合発泡体スラブ。
［項目１５］
前記一体複合発泡体スラブの前記副表面層及び前記一体複合発泡体スラブの前記主要発泡体相は、共にポリエステルからなる、又は共にポリオレフィンからなる、項目１４に記載の一体複合発泡体スラブ。
［項目１６］
前記一体複合発泡体スラブの前記副高密度化相は、
前記一体複合発泡体スラブの第１の主要外側表面を提供し、前記一体複合発泡体スラブの総厚さの約１０％未満の厚さであり、前記一体複合発泡体スラブの前記主要相の相対密度の少なくとも約４倍の相対密度を示す、第１のシート状層である第１の副表面層、
及び
前記一体複合発泡体スラブの第２の主要外側表面を提供し、前記一体複合発泡体スラブの総厚さの約１０％未満の厚さであり、前記一体複合発泡体スラブの前記主要相の相対密度の少なくとも約４倍の相対密度を示す、第２のシート状層である第２の副表面層の形態である、項目７に記載の一体複合発泡体スラブ。
［項目１７］
前記一体複合発泡体スラブの前記第１の副表面層、前記一体複合発泡体スラブの前記第２の副表面層、及び前記一体複合発泡体スラブの前記主要発泡体相は、すべてポリエステルからなる、又はすべてポリオレフィンからなる、項目１６に記載の一体複合発泡体スラブ。
［項目１８］
前記一体複合発泡体スラブの少なくとも１つの主表面に基材が積層されている、項目１に記載の一体複合発泡体スラブを備える物品。
［項目１９］
前記基材は、二軸延伸ポリマーフィルム又は二軸延伸ポリマーフィルムの積層スタックである、項目１８に記載の物品。
［項目２０］
前記基材は、繊維強化ポリマーフィルム又はシート、織布、編物、不織布、及び金属箔からなる群から選択される、項目１８に記載の物品。
【手続補正２】
【補正対象書類名】特許請求の範囲
【補正対象項目名】全文
【補正方法】変更
【補正の内容】
【特許請求の範囲】
【請求項１】
側方融合した一体有機ポリマー発泡体スラブ。
【請求項２】
前記一体発泡体スラブは、ポリエステル発泡体又はポリプロピレン発泡体を含む少なくとも１つの主要発泡体層を含む、請求項１に記載の一体発泡体スラブ。
【請求項３】
前記一体発泡体スラブは、ポリエステル発泡体の単一の層又はポリオレフィン発泡体の単一の層から本質的になる、請求項１に記載の一体発泡体スラブ。
【請求項４】
少なくとも１２個の境界面は、前記発泡体スラブの横軸に沿って前記発泡体スラブの幅を横断して遭遇し、前記境界面は、前記発泡体スラブの厚さ軸と少なくとも実質的に整列している、請求項１に記載の一体発泡体スラブ。
【請求項５】
前記発泡体スラブは、前記スラブの約５０体積％から前記スラブの約９９．５体積％を占める主要有機ポリマー発泡体相を含み、かつ、約０．８５未満の相対密度である、一体複合発泡体スラブであり、
前記一体複合発泡体スラブは、前記一体複合発泡体スラブの約０．５体積％から約５０体積％を占め、かつ、主要有機ポリマー発泡体相の相対密度よりも少なくとも約５０％高い相対密度である、副有機ポリマー高密度化相を含み、
前記主要相及び前記副相はそれぞれ、前記一体複合発泡体スラブの長軸に沿って連続的に延びる、請求項１に記載の一体発泡体スラブ。
【請求項６】
前記一体複合発泡体スラブの前記副高密度化相は、
前記一体複合発泡体スラブの第１の主要外側表面を提供し、前記一体複合発泡体スラブの総厚さの約１０％未満の厚さであり、前記一体複合発泡体スラブの前記主要相の相対密度の少なくとも約４倍の相対密度を示す、第１のシート状層である第１の副表面層、
及び
前記一体複合発泡体スラブの第２の主要外側表面を提供し、前記一体複合発泡体スラブの総厚さの約１０％未満の厚さであり、前記一体複合発泡体スラブの前記主要相の相対密度の少なくとも約４倍の相対密度を示す、第２のシート状層である第２の副表面層の形態である、請求項５に記載の一体複合発泡体スラブ。
【請求項７】
前記一体複合発泡体スラブの少なくとも１つの主表面に基材が積層されている、請求項１に記載の一体複合発泡体スラブを備える物品。